(57)【要約】【課題】電子ファイルを有効活用できること。【解決手段】ファクシミリ装置は、第１ユーザーにより指定された第１処理の実行指示を取得する指示取得部と、第１ファクシミリ通信に対応する第１電子ファイルを取得する電子ファイル取得部と、第１電子ファイル以外の第１データを取得するデータ取得部と、電子ファイル取得部により取得された第１電子ファイルと、データ取得部により取得された第１データとに基づいて、指示取得部により取得された実行指示に従って第１処理を実行する処理実行部と、を備える。【選択図】図３
2019186672.tif 000002
【特許請求の範囲】
【請求項１】
第１ユーザーにより指定された第１処理の実行指示を取得する指示取得部と、
第１ファクシミリ通信に対応する第１電子ファイルを取得する電子ファイル取得部と、
前記第１電子ファイル以外の第１データを取得するデータ取得部と、
前記電子ファイル取得部により取得された前記第１電子ファイルと、前記データ取得部により取得された前記第１データとに基づいて、前記指示取得部により取得された前記実行指示に従って前記第１処理を実行する処理実行部と、
を備えるファクシミリ装置。
【請求項２】
前記第１処理は、前記第１電子ファイルに前記第１データの少なくとも一部を追記する処理である、
請求項１に記載のファクシミリ装置。
【請求項３】
第２ファクシミリ通信に対応する第２電子ファイルおよび前記第２電子ファイルとは異なる第３電子ファイルを互いに関連付けて前記第２電子ファイルを第１記憶装置に記憶し、前記第３電子ファイルを前記第１記憶装置とは異なる第２記憶装置に記憶する第１記憶制御部を備え、
前記第１処理が前記第２電子ファイルを表示する処理である場合に、
前記電子ファイル取得部は、前記第２電子ファイルを前記第１記憶装置から取得し、
前記データ取得部は、前記第１データとして前記第２電子ファイルに関連付けられた前記第３電子ファイルを前記第２記憶装置から取得し、
前記処理実行部は、前記第２電子ファイルの少なくとも一部および前記第３電子ファイルの少なくとも一部を第１表示部に表示する処理を実行する、
請求項１または請求項２に記載のファクシミリ装置。
【請求項４】
ファクシミリ装置のコンピュータに、
第１ユーザーにより指定された第１処理の実行指示を取得する指示取得処理と、
第１ファクシミリ通信に対応する第１電子ファイルを取得する電子ファイル取得処理と、
前記第１電子ファイル以外の第１データを取得するデータ取得処理と、
前記電子ファイル取得処理により取得された前記第１電子ファイルと、前記データ取得処理により取得された前記第１データに基づいて、前記指示取得処理により取得された前記実行指示に従って前記第１処理を実行する処理実行処理と、
を実行させるためのプログラム。
【発明の詳細な説明】
【技術分野】
【０００１】
本発明は、ファクシミリ装置、及びプログラムに関する。
【背景技術】
【０００２】
画データであるＰＩＸ（Ｐｉｘｅｌ）を単位として受信し、送信終了を伝える信号であるＰＰＳ−ＥＯＰ（Ｐａｒｔｉａｌ  Ｐａｇｅ  Ｓｉｇｎａｌ−Ｅｎｄ  ｏｆ  Ｐａｇｅ）を検知した場合に、通信結果を示すレポートを作成して保存するファクシミリ装置が知られている（特許文献１参照）。
【先行技術文献】
【特許文献】
【０００３】
【特許文献１】特開２０１４−０８６７４６号公報
【発明の概要】
【発明が解決しようとする課題】
【０００４】
特許文献１に記載のファクシミリ装置では、ＦＡＸ受送信データや通信結果を示すレポートなどの電子ファイルが１通信毎に保存される。電子ファイルが１通信毎に保存される場合、保存先のストレージには膨大な数のファイル数が溜まってしまう。また、あるジョブに関する受信データやレポートなどについては、目的ごとに保存先が異なる場合がある。そのため、ユーザーは電子ファイルを有効活用できなかった。
【課題を解決するための手段】
【０００５】
本発明は上記の課題を解決するためになされたものであり、本発明の一態様は、第１ユーザーにより指定された第１処理の実行指示を取得する指示取得部と、第１ファクシミリ通信に対応する第１電子ファイルを取得する電子ファイル取得部と、前記第１電子ファイル以外の第１データを取得するデータ取得部と、前記電子ファイル取得部により取得された前記第１電子ファイルと、前記データ取得部により取得された前記第１データとに基づいて、前記指示取得部により取得された前記実行指示に従って前記第１処理を実行する処理実行部と、を備えるファクシミリ装置である。
【０００６】
また、本発明の一態様は、ファクシミリ装置のコンピュータに、第１ユーザーにより指定された第１処理の実行指示を取得する指示取得処理と、第１ファクシミリ通信に対応する第１電子ファイルを取得する電子ファイル取得処理と、前記第１電子ファイル以外の第１データを取得するデータ取得処理と、前記電子ファイル取得処理により取得された前記第１電子ファイルと、前記データ取得処理により取得された前記第１データに基づいて、前記指示取得処理により取得された前記実行指示に従って前記第１処理を実行する処理実行処理と、を実行させるためのプログラムである。
【図面の簡単な説明】
【０００７】
【図１】本発明の実施形態に係る通信システムの一例を示す図である。
【図２】本発明の実施形態に係るファクシミリ装置のハードウェアの構成の一例を示す図である。
【図３】本発明の実施形態に係る制御部の構成の一例を示す図である。
【図４】本発明の実施形態に係る条件設定画面の一例を示す図である。
【図５】本発明の実施形態に係る条件設定画面の一例を示す図である。
【図６】本発明の実施形態に係る条件設定画面の一例を示す図である。
【図７】本発明の実施形態に係る条件設定画面の一例を示す図である。
【図８】本発明の実施形態に係るファクシミリ装置の電子ファイルの自動保存処理の一例を示す図である。
【図９】本発明の実施形態に係るファイルの一例を示す図である。
【図１０】本発明の実施形態に係るファイルの一例を示す図である。
【図１１】本発明の実施形態に係るファイルの一例を示す図である。
【図１２】本発明の実施形態に係る検索画面の一例を示す図である。
【図１３】本発明の実施形態に係るファクシミリ装置のまとめ保存処理の一例を示す図である。
【図１４】本発明の実施形態に係る第１記憶装置に保存される受信データの一例を示す図である。
【図１５】本発明の実施形態に係るＲＡＭに一時的に保存される受信データの一例を示す図である。
【図１６】本発明の実施形態に係る第２記憶装置に保存されるプロトコルログの一例を示す図である。
【図１７】本発明の実施形態に係るＲＡＭに一時的に保存される受信データ及びプロトコルログの一例を示す図である。
【図１８】本発明の実施形態に係る第１記憶装置に保存されるファイルの一例を示す図である。
【図１９】本発明の実施形態に係る検索画面の一例を示す図である。
【図２０】本発明の実施形態に係る検索画面の一例を示す図である。
【図２１】本発明の実施形態に係る検索画面の一例を示す図である。
【図２２】本発明の実施形態に係る検索画面の一例を示す図である。
【発明を実施するための形態】
【０００８】
（実施形態）
以下、図面を参照しながら本発明の実施形態について詳しく説明する。図１は、本実施形態に係る通信システムＮの一例を示す図である。通信システムＮは、ファクシミリ装置１と、相手先ファクシミリ装置Ａと、相手先ファクシミリ装置Ｂと、第１記憶装置２と、第２記憶装置３とを備える。
【０００９】
ファクシミリ装置１は、相手先ファクシミリ装置Ａ及び相手先ファクシミリ装置Ｂと、電話回線ＮＷ１を介してデータの送受信を行う。ここでデータは、文書データや画像データなどである。電話回線ＮＷ１は、例えば、公衆電話回線である。
以下、ファクシミリ装置１が送信するデータを送信データと呼び、ファクシミリ装置１が受信するデータを受信データと呼ぶ。送信データと受信データとをまとめて送受信データと呼ぶことがある。
【００１０】
ファクシミリ装置１は、ネットワークＮＷ２を介して第１記憶装置２に接続される。第１記憶装置２は、例えば、サーバーである。ここでネットワークＮＷ２は、例えば、ローカル・エリア・ネットワーク（Ｌｏｃａｌ  Ａｒｅａ  Ｎｅｔｗｏｒｋ：ＬＡＮ）などの有線ネットワークまたは無線ネットワークである。
【００１１】
また、ファクシミリ装置１は、第２記憶装置３に接続される。第２記憶装置３は、例えば、ＵＳＢ（Ｕｎｉｖｅｒｓａｌ  Ｓｅｒｉａｌ  Ｂｕｓ）メモリーである。第２記憶装置３は、ファクシミリ装置１に備えられるＵＳＢインターフェースによりファクシミリ装置１と接続される。
【００１２】
なお、図１に示す構成は一例であり、これに限らない。例えば、ファクシミリ装置１がデータの送受信を行う相手先ファクシミリ装置の数は１つであっても、３以上であってもよい。また、ファクシミリ装置１が電子ファイルを保存する記憶装置の数は、１つであっても、３以上であってもよい。
【００１３】
（ファクシミリ装置１の構成）
図２は、本実施形態に係るファクシミリ装置１のハードウェアの構成の一例を示す図である。ファクシミリ装置１は、プリンタモジュール１０と、ＦＡＸモジュール１１と、操作パネル１２と、ＣＰＵ（Ｃｅｎｔｒａｌ  Ｐｒｏｃｅｓｓｉｎｇ  Ｕｎｉｔ）１３と、ＲＯＭ（Ｒｅａｄ  Ｏｎｌｙ  Ｍｅｍｏｒｙ）１４と、ＲＡＭ（Ｒａｎｄｏｍ  ａｃｃｅｓｓ  ｍｅｍｏｒｙ）１５と、通信Ｉ／Ｆ（インターフェース）１６とを備える。
【００１４】
プリンタモジュール１０は、プリンタ処理を実行する。ここでプリンタ処理とは、与えられた印刷データに応じて文書や画像を印刷する処理である。
【００１５】
ＦＡＸモジュール１１は、送信及び受信を含むＦＡＸ処理を実行する。ここでＦＡＸ処理とは、文書や画像などのデータを、電話回線ＮＷ１を介して、相手先ファクシミリ装置Ａや相手先ファクシミリ装置Ｂとの間において送受信する処理である。
【００１６】
操作パネル１２は、ユーザーからの操作を受け付ける。ユーザーからの操作は、ＦＡＸ処理を実行する操作や、電子ファイルを保存するための条件を設定する操作や、電子ファイルを検索する操作などである。操作パネル１２は、例えば、タッチパネルである。
また、操作パネル１２は、電子ファイルの検索結果を表示する。
【００１７】
ＣＰＵ１３は、ＲＯＭ１４からプログラムを読み込み、読み込んだプログラムに従って各種の制御を実行する。ＣＰＵ１３は、レジスターなどの内部記憶媒体を複数内蔵している。ＣＰＵ１３は、ＲＯＭ１４から内部記憶媒体にデータを一時的に記憶し、これを演算処理する。ＣＰＵ１３は、演算結果をレジスターに出力し、さらにレジスターからＲＡＭ１５や外部の記憶媒体に出力させる。
【００１８】
ＲＯＭ１４は、ＣＰＵ１３が各種演算や制御を行うための各種プログラム、データ及びパラメータなどを格納した主記憶装置である。ＲＯＭ１４は、ＲＯＭ１４に供給される電力がゼロの状態でも記憶内容を保持できる。
【００１９】
ＲＡＭ１５は、ＣＰＵ１３にワーキングメモリーとして使用される主記憶装置である。ＲＡＭ１５は、ＣＰＵ１３により、プログラムやデータなどの書き込み及び消去が行われる。
また、ＲＯＭ１４には、ＦＡＸ通信に対応する電子ファイルが保存される。つまり、ＲＯＭ１４は内部ストレージである。
【００２０】
通信Ｉ／Ｆ１６は、ネットワークＮＷ２を介してファクシミリ装置１が第１記憶装置２と通信を行うためのインターフェースと、ファクシミリ装置１が第２記憶装置３と通信を行うためのＵＳＢインターフェースとを備える。
ファクシミリ装置１が第１記憶装置２と行う通信は、例えば、ＴＣＰ／ＩＰプロトコルに準ずる通信である。ファクシミリ装置１が第１記憶装置２と通信を行うためのインターフェースは、例えば、シリアルインターフェースやその他の規格のインターフェースにより構成される。
【００２１】
ＵＳＢインターフェースは、ファクシミリ装置１と第２記憶装置３とを繋ぐＵＳＢ方式に応じたインターフェースとして機能する。ＵＳＢインターフェースは、例えば、周知のＵＳＢボードや、ＵＳＢチップにより構成される。ＵＳＢインターフェースは、コネクターを用いて通信経路と着脱可能に接続される。
【００２２】
図３は、本実施形態に係る制御部２０の構成の一例を示す図である。制御部２０は、指示取得部２００と、電子ファイル取得部２０１と、データ取得部２０２と、処理実行部２０３と、記憶制御部２０４と、通信制御部２０５と、ＦＡＸ制御部２０６と、プリンタ制御部２０７とを備える。
指示取得部２００と、電子ファイル取得部２０１と、データ取得部２０２と、処理実行部２０３と、記憶制御部２０４と、通信制御部２０５と、ＦＡＸ制御部２０６と、プリンタ制御部２０７とはそれぞれ、ＣＰＵ１３が読み込んで処理を実行することにより実現されるモジュールである。つまり、制御部２０はＣＰＵ１３により実現される。
【００２３】
指示取得部２００は、ユーザーにより指定された処理の指示（実行指示）を取得する。ここで処理の指示は、操作パネル１２の操作を通じてユーザーにより指定される。ユーザーにより指定される処理とは、例えば、ある電子ファイルに種々のデータの少なくとも一部を追記する追記処理である。追記処理には、ある電子ファイルに別の電子ファイルを継ぎ足す処理が含まれる。また、別の例では、ユーザーにより指定される処理とは、１つまたは複数の電子ファイルの検索及び表示を実行する検索処理である。
【００２４】
電子ファイル取得部２０１は、ＦＡＸ通信に対応する電子ファイルを、ＦＡＸ制御部２０６から取得する。ＦＡＸ通信に対応する電子ファイルの内容には、ＦＡＸの送受信データ、通信結果レポート、及びＦＡＸ通信のプロトコルログがある。
【００２５】
電子ファイルには、検索キーワードが含まれる。検索キーワードには、ＦＡＸ通信が行われた日時、ジョブ番号、相手先ファクシミリ装置のＩＤまたは電話番号、及び電子ファイルのデータの種類などが含まれる。ここで電子ファイルのデータの種類とは、送受信データ、通信結果レポート、プロトコルログなどである。これらの検索キーワードは、電子ファイルのファイル名に埋め込まれるか、あるいは電子ファイルの内容として含まれる。
【００２６】
データ取得部２０２は、電子ファイル取得部２０１が取得したある電子ファイルに追記されるデータを取得する。電子ファイル取得部２０１が取得したある電子ファイルに追記されるデータとは、このある電子ファイル以外の別の電子ファイルの内容の全部または一部や、電子ファイル化されていないデータなどである。つまり、データ取得部２０２は、電子ファイル取得部２０１が取得した電子ファイル以外のデータを取得する。
【００２７】
処理実行部２０３は、電子ファイル取得部２０１により取得された電子ファイルと、データ取得部２０２により取得されたデータとに基づいて、指示取得部２００により取得された実行指示に従って処理を実行する。
【００２８】
処理実行部２０３は、例えば、指示取得部２００により追記処理の指示が取得された場合、電子ファイル取得部２０１により取得した電子ファイルに、データ取得部２０２により取得されたデータの少なくとも一部を追記する。したがって、この場合、指示取得部２００により取得された指示に対応する処理は、電子ファイル取得部２０１により取得した電子ファイルに、データ取得部２０２により取得されたデータの少なくとも一部を追記する追記処理である。
【００２９】
また、処理実行部２０３は、例えば、指示取得部２００により検索処理の指示が取得された場合、検索条件に従って、第１記憶装置２及び第２記憶装置３に保存される電子ファイルのなかから検索条件に合致する電子ファイルを検索する。処理実行部２０３は、検索した結果や、検索した電子ファイルの内容を操作パネル１２に表示させる。
これらの処理の詳細については後述する。
【００３０】
記憶制御部２０４は、ＦＡＸ通信に対応する電子ファイルを、第１記憶装置２、第２記憶装置３、及び内部ストレージのうち予め設定された記憶装置に記憶させる。
【００３１】
通信制御部２０５は、通信Ｉ／Ｆ１６を介して、ファクシミリ装置１と第１記憶装置２との通信を制御する。
ＦＡＸ制御部２０６は、ＦＡＸモジュール１１を介して、ファクシミリ装置１のＦＡＸ処理を制御する。
プリンタ制御部２０７は、プリンタモジュール１０を介して、ファクシミリ装置１のプリンタ処理を制御する。
【００３２】
（電子ファイルの自動保存）
図４〜図１１を参照し、ファクシミリ装置１がＦＡＸ通信に対応する電子ファイルを自動保存する処理について説明する。この処理では、ファクシミリ装置１は、ユーザーにより設定される条件に基づいて、この条件を満たす事象が発生する毎に、ある電子ファイルに別の電子ファイルの内容を継ぎ足して自動保存する。ここでファクシミリ装置１は、既に保存されている電子ファイルのうち、条件を満たす電子ファイルに、新たに受信した条件を満たす電子ファイルの内容を追記することにより、１つの電子ファイルとして保存する。
以下では、ファクシミリ装置１がＦＡＸ通信に対応する電子ファイルを自動保存する処理を自動保存処理と呼ぶ。
【００３３】
図４〜図７は、それぞれ電子ファイルの自動保存のための条件設定画面Ｇ１０、Ｇ１１、Ｇ１２、Ｇ１３の一例である。条件設定画面Ｇ１０、Ｇ１１、Ｇ１２、Ｇ１３は、操作パネル１２に表示され、ユーザーが電子ファイルの自動保存のための条件を設定するための画面である。
【００３４】
図４は、本実施形態に係る条件設定画面Ｇ１０の一例を示す図である。条件設定画面Ｇ１０では、自動保存の対象となる電子ファイルに対応するＦＡＸ通信の期間が設定される。この期間は、毎日、毎週、あるいは毎月のなかから１つが選択される。例えば、毎日が選択された場合、ファクシミリ装置１は、条件にしたがって一日毎のＦＡＸ通信の電子ファイルの内容の少なくとも一部を継ぎ足して自動保存する。
【００３５】
図５は、本実施形態に係る条件設定画面Ｇ１１の一例を示す図である。条件設定画面Ｇ１１では、自動保存の対象となる電子ファイルに対応するＦＡＸ通信の送信元、あるいは送信先が設定される。送信元、あるいは送信先のうちいずれか一方が選択される。送信元、あるいは送信先が選択されると、ファクシミリ装置１がＦＡＸ通信を行う相手先ファクシミリ装置（相手先ファクシミリ装置Ａ、及び相手先ファクシミリ装置Ｂ）の一覧（不図示）が表示され、表示された一覧のなかから相手先ファクシミリ装置が選択される。相手先ファクシミリ装置は、表示された一覧のなかから１つ以上が選択される。
なお、図５では、送信元、あるいは送信先の一方が選択される場合について説明したが、送信元、あるいは送信先の両方が選択されてもよい。
【００３６】
図６は、本実施形態に係る条件設定画面Ｇ１２の一例を示す図である。条件設定画面Ｇ１２では、自動保存の対象となる電子ファイルのデータの種類が選択される。条件設定画面Ｇ１２は、条件設定画面Ｇ１１において、自動保存の対象となる電子ファイルに対応するＦＡＸ通信の送信元が選択された場合の画面である。
【００３７】
自動保存の対象となる電子ファイルのデータの種類は１つ以上が選択される。図６に示す例では、自動保存の対象となる電子ファイルのデータの種類として、受信データ、通信結果レポート、及びプロトコルログが選択されている。
【００３８】
図７は、本実施形態に係る条件設定画面Ｇ１３の一例を示す図である。条件設定画面Ｇ１３では、継ぎ足された電子ファイルを保存する保存先ストレージを選択する。保存先ストレージは、内部ストレージ、第１記憶装置２、あるいは第２記憶装置３のなかから１つが選択される。
【００３９】
条件設定画面Ｇ１３において、保存先ストレージとして「内部ストレージ」が選択された場合、継ぎ足された電子ファイルは、内部ストレージであるＲＯＭ１４に保存される。条件設定画面Ｇ１３において、保存先ストレージとして「ＵＳＢメモリー」が選択された場合、継ぎ足された電子ファイルは、第２記憶装置３に保存される。条件設定画面Ｇ１３において、保存先ストレージとして「宛先帳から選択」が選択された場合、外部ストレージの一覧（不図示）が表示され、表示された一覧のなかから保存先ストレージが選択される。この外部ストレージの一覧には、第１記憶装置２が含まれる。
【００４０】
なお、上記の自動保存の対象となる電子ファイルの条件設定においては、それぞれの条件設定を省略することができる。省略された条件設定に対応する条件として、例えば、前回設定された条件が設定されてよい。別の一例では、省略された条件設定に対応する条件として、ファクシミリ装置１が動作を開始する初期設定において設定された条件が設定されてもよい。
【００４１】
図８は、本実施形態に係るファクシミリ装置１の電子ファイルの自動保存処理の一例を示す図である。図８に示す電子ファイルの自動保存処理は、図４〜図７において示した自動保存の対象となる電子ファイルの条件設定が完了した後に実行される。図８の電子ファイルの自動保存処理において、自動保存の対象となる電子ファイルの条件は、一例として、１日毎に、相手先ファクシミリ装置Ａから受信した受信データ、及びこの受信データに対応するプロトコルログを、内部ストレージに保存するものとして設定されている。
【００４２】
ステップＳ１０：通信制御部２０５は、ＦＡＸモジュール１１を介して、相手先ファクシミリ装置Ａから受信データＤ１を受信する。ここで受信データＤ１は、相手先ファクシミリ装置Ａにより受信ジョブＪ１として送信が実行されたデータである。通信制御部２０５は、受信ジョブＪ１に関するプロトコルログとしてプロトコルログＰ１を生成する。
通信制御部２０５は、ＦＡＸ通信の開始時に相手先ファクシミリ装置Ａから受信するＴＳＩ（Ｔｒａｎｓｍｉｔｔｉｎｇ  Ｓｕｂｓｃｒｉｂｅｒ  Ｉｄｅｎｔｉｆｉｃａｔｉｏｎ）を、処理実行部２０３に供給する。ここでＴＳＩとは、ＦＡＸ通信における送信側のファクシミリ装置のＩＤ情報である。なお、通信制御部２０５は、操作パネル１２（ナンバーディスプレイ）に表示される発信者番号に基づき、送信側のファクシミリ装置を識別することもできる。
【００４３】
記憶制御部２０４は、通信制御部２０５が受信データＤ１を受信すると、受信した受信データＤ１と、プロトコルログＰ１とを、ファイルＦ１０として予め設定された内部ストレージに保存する。
図９は、本実施形態に係るファイルＦ１０の一例を示す図である。
【００４４】
ステップＳ１１：通信制御部２０５は、ＦＡＸモジュール１１を介して、相手先ファクシミリ装置Ｂから受信データＤ２を受信する。ここで受信データＤ２は、相手先ファクシミリ装置Ｂにより受信ジョブＪ２として送信が実行されたデータである。通信制御部２０５は、受信ジョブＪ２に関するプロトコルログとしてプロトコルログＰ２を生成する。
通信制御部２０５は、ＦＡＸ通信の開始時に相手先ファクシミリ装置Ｂから受信するＴＳＩを、処理実行部２０３に供給する。
【００４５】
記憶制御部２０４は、通信制御部２０５が受信データＤ２を受信すると、受信した受信データＤ２と、プロトコルログＰ２とを、ファイルＦ１１として予め設定された内部ストレージに保存する。
図１０は、本実施形態に係るファイルＦ１１の一例を示す図である。
【００４６】
ステップＳ１２：通信制御部２０５は、ＦＡＸモジュール１１を介して、相手先ファクシミリ装置Ａから受信データＤ３を受信する。ここで受信データＤ３は、相手先ファクシミリ装置Ａにより受信ジョブＪ３として送信が実行されたデータである。通信制御部２０５は、受信ジョブＪ３に関するプロトコルログとしてプロトコルログＰ３を生成する。
通信制御部２０５は、ＦＡＸ通信の開始時に相手先ファクシミリ装置Ａから受信するＴＳＩを、処理実行部２０３に供給する。
【００４７】
処理実行部２０３は、通信制御部２０５が相手先ファクシミリ装置Ａから受信データＤ３を受信したか否かを判定する。ここで処理実行部２０３は、通信制御部２０５が供給する相手先ファクシミリ装置ＡのＴＳＩに基づいて判定する。相手先ファクシミリ装置Ａは、自動保存の対象となる電子ファイルの条件設定により設定された受信先の相手先ファクシミリ装置である。
処理実行部２０３は、通信制御部２０５が相手先ファクシミリ装置Ａから受信データＤ３を受信したと判定すると、追記処理を実行する。
【００４８】
処理実行部２０３は、電子ファイル取得部２０１に、内部ストレージからファイルＦ１０を取得させる。処理実行部２０３は、データ取得部２０２に、通信制御部２０５が受信した受信データＤ３、及び通信制御部２０５が生成したプロトコルログＰ３を取得させる。
【００４９】
処理実行部２０３は、電子ファイル取得部２０１により取得されたファイルＦ１０に、データ取得部２０２により取得された受信データＤ３、及びプロトコルログＰ３を追記し、１つのファイルとしてファイルＦ１２を生成する。処理実行部２０３は、生成したファイルＦ１２を、記憶制御部２０４に内部ストレージに保存させる。
図１１は、本実施形態に係るファイルＦ１２の一例を示す図である。
【００５０】
なお、上記の図８に示した自動保存処理では、処理実行部２０３が、電子ファイル取得部２０１により取得されたファイルＦ１０に、データ取得部２０２により取得された受信データＤ３、及びプロトコルログＰ３を追記し、１つのファイルとしてファイルＦ１２を生成する場合について説明したが、これに限らない。例えば、処理実行部２０３は、電子ファイル取得部２０１により取得されたファイルＦ１０に、データ取得部２０２により取得された受信データＤ３、及びプロトコルログＰ３のうちいずれか一方を追記してもよい。
【００５１】
また、処理実行部２０３は、受信データＤ１と、プロトコルログＰ１とがそれぞれ１つの電子ファイルとして内部ストレージに保存されている場合、電子ファイル取得部２０１に受信データＤ１を取得させ、データ取得部２０２にプロトコルログＰ１を取得させてもよい。この場合、処理実行部２０３は、電子ファイル取得部２０１が取得した受信データＤ１に、データ取得部２０２が取得したプロトコルログＰ１を追記してもよい。
【００５２】
このように、処理実行部２０３は、指示取得部２００により取得された指示に対応する処理が追記処理である場合に、この処理として、ある電子ファイルにデータの少なくとも一部を追記する処理である追記処理を実行する。
【００５３】
なお、上記の図８に示した電子ファイルの自動保存処理においては、処理実行部２０３が、通信制御部２０５が相手先ファクシミリ装置Ａから受信データＤ３を受信したか否かを、相手先ファクシミリ装置ＡのＴＳＩに基づいて判定する場合について説明したが、これに限らない。
例えば、処理実行部２０３は、通信制御部２０５が相手先ファクシミリ装置Ａから受信データＤ３を受信したか否かを、相手先ファクシミリ装置Ａから送信されるＣＮＧ（ｃａｌｌｉｎｇ  ｔｏｎｅ）に基づいて判定してもよい。ここでＣＮＧは、ＦＡＸ通信の開始時に通信制御部２０５が相手先ファクシミリ装置Ａから受信する。
【００５４】
上記のように、ファクシミリ装置１は、ＦＡＸの送受信データや、ＦＡＸ通信の通信結果を示す通信結果レポートや、ＦＡＸ通信のプロトコルログを、自装置に備えられた内部ストレージや第１記憶装置２や第２記憶装置３に電子ファイルとして保存する。ファクシミリ装置１は、従来のようにＦＡＸの１通信毎に電子ファイルを保存する代わりに、設定された条件毎に整理して電子ファイルを保存することができる。
【００５５】
（電子ファイルのユーザーによる保存）
図１２〜図１８を参照し、ファクシミリ装置１がＦＡＸ通信に対応する電子ファイルをまとめて保存する処理について説明する。この処理では、ファクシミリ装置１は、ユーザーによる操作に基づいて、複数の保存先ストレージに保存されている電子ファイルを１つの電子ファイルにまとめて、所定の保存先ストレージに保存する。
以下では、ファクシミリ装置１がＦＡＸ通信に対応する複数の電子ファイルの内容のデータを、１つの電子ファイルにまとめて保存する処理を、まとめ保存処理と呼ぶ。
【００５６】
まとめ保存処理では、ファクシミリ装置１は、まとめて保存する対象となる電子ファイルの条件を設定するためのユーザーによる操作を受け付ける。
図１２は、本実施形態に係る検索画面Ｇ２０の一例を示す図である。検索画面Ｇ２０は、まとめて保存する対象となる電子ファイルの条件として、電子ファイルを受信または送信した期間を、ユーザーが設定するための画面である。図１２に示す例では、２０１８年１月５日から２０１８年１月１２日までに、受信または送信された電子ファイルがまとめて保存する対象となる条件が設定されている。
【００５７】
まとめ保存処理では、電子ファイルを受信または送信した期間の他に、まとめて保存する対象となる電子ファイルに対応するＦＡＸ通信の送信元、あるいは送信先の設定、まとめて保存する対象となる電子ファイルのデータの種類の設定、１つにまとめられた電子ファイルを保存する保存先ストレージの設定がされる。
これらを設定するための条件設定画面は、図５〜図７においてそれぞれ示した条件設定画面Ｇ１１、Ｇ１２、及びＧ１３と同様であるため説明を省略する。
【００５８】
図１３は、本実施形態に係るファクシミリ装置１のまとめ保存処理の一例を示す図である。図１３に示すまとめ保存処理は、まとめ保存処理のための条件設定が完了した後に実行される。図１３に示すまとめ保存処理では、一例として、２０１８年１月５日から２０１８年１月１２日までに相手先ファクシミリ装置Ａから受信した、受信データ、通信結果レポート、及びプロトコルログを、第１記憶装置２に１つの電子ファイルとして保存するものである。
図１３に示す例では、第１記憶装置２に受信データが保存され、第２記憶装置３にプロトコルログが保存されている。
【００５９】
ステップＳ２０：処理実行部２０３は、記憶制御部２０４に、第１記憶装置２に保存される受信データのうち、相手先ファクシミリ装置Ａから受信した受信データを取得させる。
【００６０】
図１４は、本実施形態に係る第１記憶装置２に保存される受信データの一例を示す図である。送信元Ａ受信データＤＡ１、送信元Ａ受信データＤＡ２、送信元Ｂ受信データＤＢ１、及び送信元Ｂ受信データＤＢ２は、それぞれ１つの電子ファイルとして保存されている。
【００６１】
処理実行部２０３は、記憶制御部２０４に、第１記憶装置２に保存される送信元Ａ受信データＤＡ１、送信元Ａ受信データＤＡ２、送信元Ｂ受信データＤＢ１、及び送信元Ｂ受信データＤＢ２のうち、送信元Ａ受信データＤＡ１、及び送信元Ａ受信データＤＡ２を取得させる。
【００６２】
ステップＳ２１：記憶制御部２０４は、第１記憶装置２から送信元Ａ受信データＤＡ１、及び送信元Ａ受信データＤＡ２を取得する。処理実行部２０３は、記憶制御部２０４が取得した送信元Ａ受信データＤＡ１、及び送信元Ａ受信データＤＡ２を、ＲＡＭ１５に一時的に保存する。
【００６３】
図１５は、本実施形態に係るＲＡＭ１５に一時的に保存される受信データ（送信元Ａ受信データＤＡ１、及び送信元Ａ受信データＤＡ２）の一例を示す図である。送信元Ａ受信データＤＡ１、及び送信元Ａ受信データＤＡ２は、それぞれ１つの電子ファイルとして保存される。
【００６４】
ステップＳ２２：処理実行部２０３は、記憶制御部２０４に、第２記憶装置３に保存される受信データのうち、相手先ファクシミリ装置Ａから受信した受信データを取得させる。
【００６５】
図１６は、本実施形態に係る第２記憶装置３に保存されるプロトコルログの一例を示す図である。送信元ＡプロトコルログＰＡ１、送信元ＡプロトコルログＰＡ２、送信元ＢプロトコルログＰＢ１、及び送信元ＢプロトコルログＰＢ２は、それぞれ１つの電子ファイルとして保存されている。
【００６６】
処理実行部２０３は、記憶制御部２０４に、第２記憶装置３に保存される送信元ＡプロトコルログＰＡ１、送信元ＡプロトコルログＰＡ２、送信元ＢプロトコルログＰＢ１、及び送信元ＢプロトコルログＰＢ２のうち、送信元ＡプロトコルログＰＡ１、及び送信元ＡプロトコルログＰＡ２を取得させる。
【００６７】
ステップＳ２３：記憶制御部２０４は、第２記憶装置３から送信元ＡプロトコルログＰＡ１、及び送信元ＡプロトコルログＰＡ２を取得する。ここで記憶制御部２０４は、それぞれの電子ファイルに含まれる検索キーワードに基づいて、送信元が相手先ファクシミリ装置Ａである電子ファイルを取得する。処理実行部２０３は、記憶制御部２０４が取得した送信元ＡプロトコルログＰＡ１、及び送信元ＡプロトコルログＰＡ２を、ＲＡＭ１５に一時的に保存する。
【００６８】
図１７は、本実施形態に係るＲＡＭ１５に一時的に保存される受信データ（送信元Ａ受信データＤＡ１、及び送信元Ａ受信データＤＡ２）及びプロトコルログ（送信元ＡプロトコルログＰＡ１、及び送信元ＡプロトコルログＰＡ２）の一例を示す図である。送信元Ａ受信データＤＡ１、送信元Ａ受信データＤＡ２、送信元ＡプロトコルログＰＡ１、及び送信元ＡプロトコルログＰＡ２は、それぞれ１つの電子ファイルとして保存される。
【００６９】
ステップＳ２４：処理実行部２０３は、ＲＡＭ１５に一時的に保存されている送信元Ａ受信データＤＡ１、送信元Ａ受信データＤＡ２、送信元ＡプロトコルログＰＡ１、及び送信元ＡプロトコルログＰＡ２を、記憶制御部２０４を介して第１記憶装置２に保存する。
ここで、処理実行部２０３は、送信元Ａ受信データＤＡ１、送信元Ａ受信データＤＡ２、送信元ＡプロトコルログＰＡ１、及び送信元ＡプロトコルログＰＡ２をまとめたデータを、１つのファイルＦ２０として第１記憶装置２に保存する。
【００７０】
図１８は、本実施形態に係る第１記憶装置２に保存されるファイルＦ２０の一例を示す図である。ファイルＦ２０に含まれるデータはページにより区切られている。このページを示すページ番号は、図１８では「Ｐ．１」などと示されている。ページ番号により示すとおり、送信元Ａ受信データＤＡ１、送信元Ａ受信データＤＡ２、送信元ＡプロトコルログＰＡ１、及び送信元ＡプロトコルログＰＡ２は、この順にファイルＦ２０に含まれる。
【００７１】
なお、ステップＳ２４の処理の実行時に保存先ストレージに接続できない場合、処理実行部２０３は、ユーザーに保存先ストレージに接続できないことを示す警告を操作パネル１２に表示させ、この保存先ストレージへの接続を促す。ユーザーは、操作パネル１２から保存先ストレージへの接続する操作をしてもよいし、別の保存先ストレージを、電子ファイルを保存する保存先ストレージとして設定し直してもよい。
【００７２】
また、ステップＳ２１及びステップＳ２３において、記憶制御部２０４が第１記憶装置２や第２記憶装置３から電子ファイルを取得する際、処理実行部２０３は、記憶制御部２０４を介して、取得した電子ファイルを第１記憶装置２や第２記憶装置３を削除してもよい。これにより、ファクシミリ装置１では、まとめ保存処理の実行後に、電子ファイルの内容が重複することを避けることができる。
【００７３】
また、まとめ保存処理において、処理実行部２０３は、記憶制御部２０４が電子ファイルを保存先ストレージに保存する前に、この電子ファイルに含まれるデータの内容を編集してもよい。この場合、処理実行部２０３は、操作パネル１２が受け付けるユーザーの操作に基づいて、この電子ファイルに含まれるデータの内容を編集する。
【００７４】
（電子ファイルの検索）
図１９〜図２２を参照し、ファクシミリ装置１がＦＡＸ通信に対応する電子ファイルを検索して表示する処理について説明する。検索処理では、ファクシミリ装置１は、検索する電子ファイルの条件を設定するためのユーザーによる操作を受け付ける。検索する電子ファイルの条件とは、例えば、検索する電子ファイルがある電子ファイルに関連づけられていることである。ここでは、一例として、ファクシミリ装置１が、ジョブ番号が「００２３」であるジョブに関連した受信レポートに関連づけられた電子ファイルを検索して表示する場合について説明する。
以下では、ファクシミリ装置１がＦＡＸ通信に対応する電子ファイルを検索して表示する処理を検索処理と呼ぶ。
【００７５】
図１９〜図２２を参照し説明する検索処理が実行される前に、記憶制御部２０４は、ジョブ番号が「００２３」であるジョブのファクシミリ通信に対応する電子ファイル（送信元Ａ受信データＤＡ１、及び送信元Ａ受信データＤＡ２）およびこの電子ファイル（送信元Ａ受信データＤＡ１、及び送信元Ａ受信データＤＡ２）とは異なる電子ファイル（送信元ＡプロトコルログＰＡ１、及び送信元ＡプロトコルログＰＡ２）を互いに関連付けて電子ファイル（送信元Ａ受信データＤＡ１、及び送信元Ａ受信データＤＡ２）を第１記憶装置２に記憶するとともに電子ファイル（送信元ＡプロトコルログＰＡ１、及び送信元ＡプロトコルログＰＡ２）を第２記憶装置３に記憶する。
【００７６】
ここで記憶制御部２０４は、それらの複数の電子ファイルのうち関連のある２以上の電子ファイルを互いに関連付けて保存する。ここで記憶制御部２０４は、検索キーワードを用いて関連のある２以上の電子ファイルを互いに関連付けて保存する。
【００７７】
記憶制御部２０４は、複数の電子ファイルを保存先ストレージに保存する際に、複数の電子ファイルのファイル名に検索キーワードを含める。別の例では、記憶制御部２０４は、複数の電子ファイルを保存先ストレージに保存する際に、複数の電子ファイルの内容に検索キーワードを含める。検索キーワードには、例えば、ジョブ番号が含まれる。
【００７８】
このように、記憶制御部２０４は、あるジョブのファクシミリ通信に対応する電子ファイル、およびこの電子ファイルとは異なる電子ファイルを互いに関連付けて当該電子ファイルを第１記憶装置２に記憶し、当該電子ファイルとは異なる電子ファイルを第１記憶装置２とは異なる第２記憶装置３に記憶する。
【００７９】
図１９は、本実施形態に係る検索画面Ｇ３０の一例を示す図である。検索画面Ｇ３０では、ファクシミリ装置１が受信した受信データに対応する受信ジョブの履歴が表示されている。ユーザーは、操作パネル１２から、所望のジョブであるジョブ番号が「００２３」であるジョブを選択する。
【００８０】
図２０は、本実施形態に係る検索画面Ｇ３１の一例を示す図である。検索画面Ｇ３１では、検索画面Ｇ３０において選択されたジョブの詳細として、このジョブに対応する受信レポートが表示されている。
操作パネル１２においてボタンＢＴ１が押下されると、処理実行部２０３は、検索画面Ｇ３０において選択されたジョブに関連する電子ファイルを、保存先ストレージに保存される電子ファイルのなかから検索する。ここで処理実行部２０３は、複数の保存先ストレージ（内部ストレージ、第１記憶装置２、及び第２記憶装置３）から電子ファイルを検索する。
【００８１】
図１３の検索処理の例では、処理実行部２０３は、電子ファイルが保存先ストレージに保存される際に付加された検索キーワードに基づいて電子ファイルを検索する。ここで処理実行部２０３は、検索画面Ｇ３０において選択されたジョブのジョブ番号が付加された検索キーワードを含む電子ファイルを、保存先ストレージ（内部ストレージ、第１記憶装置２、及び第２記憶装置３）に保存される電子ファイルのなかから検索する。
【００８２】
処理実行部２０３は、電子ファイル取得部２０１に、検索画面Ｇ３０において選択されたジョブのジョブ番号を付加された検索キーワードに含む電子ファイルを第１記憶装置２から取得させる。
したがって、指示取得部２００により取得された指示に対応する処理が検索処理である場合に、電子ファイル取得部２０１は、あるジョブのＦＡＸ通信に対応する電子ファイルを第１記憶装置２から取得する。
【００８３】
処理実行部２０３は、データ取得部２０２に、検索画面Ｇ３０において選択されたジョブのジョブ番号が付加された検索キーワードを含む電子ファイルに関連付けられた電子ファイルを第２記憶装置３から取得させる。
したがって、指示取得部２００により取得された指示に対応する処理が検索処理である場合に、データ取得部２０２は、第１ファクシミリ通信に対応する第１電子ファイル以外の第１データとして、あるジョブのＦＡＸ通信に対応する電子ファイルに関連付けられた電子ファイルを第２記憶装置３から取得する。
【００８４】
処理実行部２０３は、電子ファイル取得部２０１が取得した電子ファイルと、データ取得部２０２が取得した電子ファイルとを、操作パネル１２に表示させる。
したがって、処理実行部２０３は、あるジョブのＦＡＸ通信に対応する電子ファイルの少なくとも一部およびあるジョブのＦＡＸ通信に対応する電子ファイルに関連付けられた電子ファイルの少なくとも一部を操作パネル１２に表示する処理を実行する。
【００８５】
図２１は、本実施形態に係る検索画面Ｇ３２の一例を示す図である。検索画面Ｇ３２では、検索画面Ｇ３０において選択されたジョブ（ジョブ番号が「００２３」であるジョブ）に関連する電子ファイルの検索結果が表示される。図２１に示す例では、検索画面Ｇ３０において選択されたジョブに関連する電子ファイルとして、３つの電子ファイルが見つかったことを示す検索結果が表示されている。
【００８６】
検索画面Ｇ３２から、見つかった電子ファイルに対する操作を選択する。この操作には、例えば、見つかった電子ファイルを表示する操作、見つかった電子ファイルを印刷する操作、及び見つかった電子ファイルを保存先ストレージに保存する操作が含まれる。
【００８７】
処理実行部２０３は、見つかった電子ファイルを表示する操作を操作パネル１２から受け付けた場合、見つかった電子ファイルの内容の少なくとも一部を、操作パネル１２を介して表示する。
【００８８】
図２２は、本実施形態に係る検索画面Ｇ３３の一例を示す図である。検索画面Ｇ３３では、検索画面Ｇ３２において見つかった電子ファイルの内容が表示されている。検索画面Ｇ３３では、見つかった電子ファイル毎にこの電子ファイルのあるページの内容が表示されている。
なお、処理実行部２０３は、検索画面Ｇ３２において、見つかった電子ファイルのうち２以上の電子ファイルの内容の少なくとも一部をそれぞれ表示してもよい。
【００８９】
処理実行部２０３は、見つかった電子ファイルを印刷する操作を操作パネル１２から受け付けた場合、見つかった電子ファイルの少なくとも一部を、プリンタ制御部２０７を介してプリンタモジュール１０に印刷させる。
【００９０】
処理実行部２０３は、見つかった電子ファイルを保存する操作を操作パネル１２から受け付けた場合、見つかった電子ファイルを、選択された保存先ストレージに記憶制御部２０４を介して保存する。見つかった電子ファイルを保存する操作を受け付ける画面は、図７に示した条件設定画面Ｇ１３と同様であるため説明を省略する。
【００９１】
上記のように、ファクシミリ装置１は、条件に合致する電子ファイルを第１記憶装置２や第２記憶装置３から取得し、取得した電子ファイルの内容をまとめて表示または出力する。つまりファクシミリ装置１は、複数の保存先ストレージから電子ファイルを取得し、取得した電子ファイルの内容をまとめて表示または出力することができる。
【００９２】
（まとめ）
以上に説明したように、本実施形態に係るファクシミリ装置１は、指示取得部２００と、電子ファイル取得部２０１と、データ取得部２０２と、処理実行部２０３とを備える。
指示取得部２００は、第１ユーザーにより指定された第１処理の実行指示を取得する。
電子ファイル取得部２０１は、第１ファクシミリ通信に対応する第１電子ファイルを取得する。
データ取得部２０２は、第１ファクシミリ通信に対応する第１電子ファイル以外の第１データを取得する。
処理実行部２０３は、電子ファイル取得部２０１により取得された第１電子ファイルと、データ取得部２０２により取得された第１データとに基づいて、指示取得部２００により取得された実行指示に従って第１処理を実行する。
【００９３】
この構成により、本実施形態に係るファクシミリ装置１では、第１電子ファイルと、第１データとに基づいて第１ユーザーにより指定された第１処理を実行できるため、電子ファイルを有効活用できる。
【００９４】
また、本実施形態に係るファクシミリ装置１では、第１処理は、第１電子ファイルに第１データの少なくとも一部を追記する処理（追記処理）である。
この構成により、本実施形態に係るファクシミリ装置１では、電子ファイルに別の電子ファイルを追記できるため、ユーザーが所望する単位で電子ファイルが保存される環境を提供することができる。また、本実施形態に係るファクシミリ装置１では、電子ファイルに別の電子ファイルを追記できるため、電子ファイルを見つけやすくできる。
【００９５】
電子ファイルの自動保存のための条件として、相手先ファクシミリ装置が設定されることにより、ユーザーは、例えば、ファクシミリ装置１が特定の相手先ファクシミリ装置と行ったＦＡＸ通信の課金料金などを知ることができる。
【００９６】
また、本実施形態に係るファクシミリ装置１は、第１記憶制御部（記憶制御部２０４）を備える。
第１記憶制御部（記憶制御部２０４）は、第２ファクシミリ通信に対応する第２電子ファイルおよび第２電子ファイルとは異なる第３電子ファイルを互いに関連付けて第２電子ファイルを第１記憶装置２に記憶し、第３電子ファイルを第１記憶装置２とは異なる第２記憶装置３に記憶する。
第１処理が第２電子ファイルを表示する処理（検索処理）である場合に、電子ファイル取得部２０１は、第２電子ファイルを第１記憶装置２から取得する。
第１処理が第２電子ファイルを表示する処理（検索処理）である場合に、データ取得部２０２は、第１データとして第２電子ファイルに関連付けられた第３電子ファイルを第２記憶装置３から取得する。
処理実行部２０３は、第２電子ファイルの少なくとも一部および第３電子ファイルの少なくとも一部を第１表示部（操作パネル１２）に表示する処理を実行する。
【００９７】
この構成により、本実施形態に係るファクシミリ装置１では、ユーザーがジョブに関連するデータを収集し、ユーザーインターフェース表示、または一括出力を行うことができるため、ジョブの内容を参照することができる。ここで一括出力とは、一括印刷または一括データ保存を行うことである。
例えば、ユーザーは、ジョブの履歴から、このジョブに関連するデータを検索することにより、このジョブの内容を参照できる。
【００９８】
なお、上述の実施形態においては、一例として、ファクシミリ装置１は、操作パネル１２からユーザーからの操作を受け付ける場合について説明したが、これに限らない。例えば、ファクシミリ装置１は、操作パネル１２の代わりに、ファクシミリ装置１に接続された端末装置からユーザーからの操作を受け付けてもよい。ここで端末装置とは、例えば、パーソナルコンピューター（Ｐｅｒｓｏｎａｌ  Ｃｏｍｐｕｔｅｒ：ＰＣ）やスマートフォンである。
【００９９】
なお、上述した実施形態におけるファクシミリ装置１の一部、例えば、指示取得部２００、電子ファイル取得部２０１、データ取得部２０２、処理実行部２０３、及び記憶制御部２０４をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ファクシミリ装置１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバーやクライアントとなるコンピュータシステム内部の揮発性メモリーのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
また、上述した実施形態におけるファクシミリ装置１の一部、または全部を、ＬＳＩ（Ｌａｒｇｅ  Ｓｃａｌｅ  Ｉｎｔｅｇｒａｔｉｏｎ）等の集積回路として実現してもよい。ファクシミリ装置１の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１００】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１０１】
１…ファクシミリ装置、Ａ、Ｂ…相手先ファクシミリ装置、２…第１記憶装置、３…第２記憶装置、ＮＷ１…電話回線、ＮＷ２…ネットワーク、１０…プリンタモジュール、１１…ＦＡＸモジュール、１２…操作パネル、１３…ＣＰＵ、１４…ＲＯＭ、１５…ＲＡＭ、１６…通信Ｉ／Ｆ、２０…制御部、２００…指示取得部、２０１…電子ファイル取得部、２０２…データ取得部、２０３…処理実行部、２０４…記憶制御部、２０５…通信制御部、２０６…ＦＡＸ制御部、２０７…プリンタ制御部
【図１】
2019186672.tif 000003
【図２】
2019186672.tif 000004
【図３】
2019186672.tif 000005
【図４】
2019186672.tif 000006
【図５】
2019186672.tif 000007
【図６】
2019186672.tif 000008
【図７】
2019186672.tif 000009
【図８】
2019186672.tif 000010
【図９】
2019186672.tif 000011
【図１０】
2019186672.tif 000012
【図１１】
2019186672.tif 000013
【図１２】
2019186672.tif 000014
【図１３】
2019186672.tif 000015
【図１４】
2019186672.tif 000016
【図１５】
2019186672.tif 000017
【図１６】
2019186672.tif 000018
【図１７】
2019186672.tif 000019
【図１８】
2019186672.tif 000020
【図１９】
2019186672.tif 000021
【図２０】
2019186672.tif 000022
【図２１】
2019186672.tif 000023
【図２２】
2019186672.tif 000024